(57)【要約】【課題】光源から発生する熱によってフィルムの温度が上昇することを抑制することができる発光装置を提供する。【解決手段】発光装置１００は、基板１１０と、光源１２０と、カバー部材１３０と、フィルム１４０とを備える。光源１２０は、基板１１０に配置される。カバー部材１３０は、光源１２０を覆う。フィルム１４０は、カバー部材１３０を覆う。光源１２０は光を出射することが好ましい。カバー部材１３０は、出射部１３１を有することが好ましい。出射部１３１は、光源１２０からの光を出射することが好ましい。出射部１３１の少なくとも一部は、フィルム１４０から露出していることが好ましい。【選択図】図２
2020087753.tif 000002
【特許請求の範囲】
【請求項１】
基板と、
前記基板に配置される光源と、
前記光源を覆うカバー部材と、
前記カバー部材を覆うフィルムと
を備える、発光装置。
【請求項２】
前記光源は光を出射し、
前記カバー部材は、前記光源からの前記光を出射する出射部を有し、
前記出射部の少なくとも一部は、前記フィルムから露出している、請求項１に記載の発光装置。
【請求項３】
前記カバー部材は、カバー領域と露出領域とを有しており、
前記カバー領域と露出領域との境界に凹部または凸部の一方が設けられている、請求項２に記載の発光装置。
【請求項４】
前記凹部または凸部は、環状である、請求項３に記載の発光装置。
【請求項５】
前記基板は開口部を有する板状部材に取り付けられており、
前記フィルムが前記開口部を覆う、請求項１から請求項４のいずれか１項に記載の発光装置。
【請求項６】
前記基板に取り付けられるコネクタをさらに備え、
前記フィルムは、前記コネクタの少なくとも一部を覆う、請求項１から請求項５のいずれか１項に記載の発光装置。
【請求項７】
前記カバー部材は、レンズ機能を有する、請求項１から請求項６のいずれか１項に記載の発光装置。
【発明の詳細な説明】
【技術分野】
【０００１】
本発明は、発光装置に関する。
【背景技術】
【０００２】
特許文献１に記載の面発光体は、基板と、複数のＬＥＤ（Ｌｉｇｈｔ  Ｅｍｉｔｔｉｎｇ  Ｄｉｏｄｅ）素子（光源）と、トップフィルム（フィルム）とを備える。特許文献１に記載の面発光体では、フィルムは、ＬＥＤ素子の表面に張設される。したがって、フィルムによって、ＬＥＤ素子を防水することができる。
【先行技術文献】
【特許文献】
【０００３】
【特許文献１】特開２０１１−２１５６４１号公報
【発明の概要】
【発明が解決しようとする課題】
【０００４】
しかしながら、特許文献１に記載の面発光体は、光源とフィルムとが接触している。したがって、光源から発生する熱によってフィルムの温度が上昇する可能性がある。特に発熱量が多い高輝度のＬＥＤを使用する場合、フィルムの温度が高温になる可能性が高くなる。
【０００５】
本発明は上記課題に鑑みてなされたものであり、その目的は光源から発生する熱によってフィルムの温度が上昇することを抑制することができる発光装置を提供することにある。
【課題を解決するための手段】
【０００６】
本発明に係る発光装置は、基板と、光源と、カバー部材と、フィルムとを備える。前記光源は、前記基板に配置される。前記カバー部材は、前記光源を覆う。前記フィルムは、前記カバー部材を覆う。
【発明の効果】
【０００７】
本発明に係る発光装置によれば、光源から発生する熱によってフィルムの温度が上昇することを抑制することができる。
【図面の簡単な説明】
【０００８】
【図１】本発明の実施形態１に係る発光装置の模式図である。
【図２】図１のＩＩ−ＩＩ線に沿った断面図である。
【図３】本発明の実施形態２に係る発光装置の模式図である。
【図４】（ａ）〜（ｃ）は、露出領域の形成方法の一例を示す断面図である。
【図５】（ａ）および（ｂ）は、露出領域の形成方法の一例を示す断面図である。
【図６】本発明の実施形態３に係る照明装置の斜視図である。
【図７】本発明の実施形態３に係る照明装置の底面図である。
【図８】図７のＶＩＩＩ−ＶＩＩＩ線に沿った断面図である。
【図９】開口部近傍の断面図である。
【発明を実施するための形態】
【０００９】
以下、本発明の実施形態について、図面を参照しながら説明する。なお、図中、同一または相当部分については同一の参照符号を付して説明を繰り返さない。
【００１０】
［実施形態１］
図１を参照して、本発明の実施形態１に係る発光装置１００について説明する。図１は、本発明の実施形態１に係る発光装置１００の模式図である。本発明の実施形態において、Ｘ軸、Ｙ軸、およびＺ軸は互いに直交し、Ｘ軸およびＹ軸は水平面に平行であり、Ｚ軸は鉛直線に平行である。Ｚ軸の正方向は、発光装置１００から出射した光が向かう方向である。
【００１１】
図１に示すように、発光装置１００は、基板１１０と、複数の光源１２０と、カバー部材１３０と、フィルム１４０と、コネクタ１５０とを備える。発光装置１００は、例えば、ＬＥＤモジュールである。
【００１２】
基板１１０は、例えば、プリント基板である。
【００１３】
光源１２０は、基板１１０に配置される。光源１２０は、例えば、ＬＥＤである。光源１２０は、光を出射する。
【００１４】
カバー部材１３０は、光源１２０を覆う。カバー部材１３０は、透明である。カバー部材１３０は、例えば、ポリカーボネイドまたはアクリル樹脂によって形成される。本実施形態では、カバー部材１３０は、レンズ機能を有する。詳しくは、カバー部材１３０は、光源１２０から出射した光を配光することによって所望の配光角で光を出射する。なお、カバー部材１３０は、レンズ機能を有していなくてもよい。すなわち、カバー部材１３０は、光源１２０から出射した光の角度を変えることなく出射してもよい。カバー部材１３０は、基板１１０の形状に対応した形状を有する。
【００１５】
フィルム１４０は、カバー部材１３０を覆う。フィルム１４０は、透明である。フィルム１４０は、例えば、ポリエチレンテレフタラートによって形成される。フィルム１４０は、粘着層を有している。フィルム１４０は、粘着層を貼付対象物に接触させることよって貼付対象物に貼り付けられる。フィルム１４０は、防水性および／または防湿性を有する。
【００１６】
コネクタ１５０は、基板１１０に取り付けられる。コネクタ１５０には、電源ケーブル（図示せず）が、接続される。電源ケーブルを介して、光源１２０に電力が供給される。
【００１７】
図２を参照して、発光装置１００についてさらに説明する。図２は、図１のＩＩ−ＩＩ線に沿った断面図である。
【００１８】
図２に示すように、カバー部材１３０は、窪み部１３７と、平坦部１３８とを有する。窪み部１３７には、光源１２０からの光が入射される。平坦部１３８は、平坦状である。平坦部１３８は、出射部１３１を有する。出射部１３１は、光源１２０からの光を出射する。
【００１９】
カバー部材１３０と、基板１１０との間には、空間Ｓが形成される。空間Ｓには、光源１２０が配置される。カバー部材１３０と光源１２０とは、非接触である。光源１２０の近傍では、カバー部材１３０と基板１１０とは非接触である。なお、カバー部材１３０が基板１１０のいずれかの場所で接触することによって、カバー部材１３０は基板１１０に支持されている。
【００２０】
フィルム１４０は、基板１１０の少なくとも一部と、コネクタ１５０の少なくとも一部と、カバー部材１３０の平坦部１３８とを覆う。本実施形態では、平坦部１３８は、フィルム１４０で全て覆われている。したがって、出射部１３１は、フィルム１４０で全て覆われている。フィルム１４０は、カバー部材１３０を介して、光源１２０を覆っている。したがって、光源１２０とフィルム１４０との間の距離を大きくすることができる。その結果、フィルム１４０の温度が上昇することを抑制することができる。
【００２１】
以上、図１および図２を参照して説明したように、発光装置１００は、基板１１０と、光源１２０と、カバー部材１３０と、フィルム１４０とを備える。カバー部材１３０は、光源１２０を覆う。さらに、フィルム１４０は、カバー部材１３０を覆う。すなわち、フィルム１４０は、光源１２０に直接では無くカバー部材１３０を介して、光源１２０を覆っている。したがって、光源１２０とフィルム１４０との間の距離を大きくすることができる。その結果、光源１２０から発生する熱によってフィルム１４０の温度が上昇することを抑制することができる。このため、光源からの熱が発生しやすい高輝度の光源を備える発光装置に対して、耐熱性の高い高価なフィルムを適用することなく防水構造および／または防湿構造を適用することができる。また、フィルム１４０の温度が上昇することを抑制することによって、フィルムが高温になり、フィルムが変色することを抑制することができる。その結果、発光装置１００から出射される光が減衰することを抑制することができる。
【００２２】
また、フィルム１４０は、コネクタ１５０の少なくとも一部を覆う。したがって、コネクタ１５０に対して防水および／または防湿を行うことができる。
【００２３】
また、カバー部材１３０は、レンズ機能を有する。したがって、発光装置１００は、所望の配光角で光を出射することができる。その結果、発光装置１００は、効率良く光を出射することができる。
【００２４】
［実施形態２］
図３を参照して、本発明の実施形態２に係る発光装置１００について説明する。図３は、本発明の実施形態２に係る発光装置１００の模式図である。出射部１３１の少なくとも一部がフィルム１４０から露出している点で、実施形態２に係る発光装置１００は、実施形態１に係る発光装置１００と主に異なる。以下、実施形態２が実施形態１と異なる点を主に説明する。
【００２５】
図３に示すように、カバー部材１３０は、カバー領域１３３と露出領域１３４とを有している。
【００２６】
カバー領域１３３は、フィルム１４０によってカバー部材１３０が覆われている領域である。すなわち、カバー領域１３３は、フィルム１４０がカバー部材１３０に貼り付けられている領域である。
【００２７】
露出領域１３４は、カバー部材１３０が露出している領域である。すなわち、露出領域１３４は、フィルム１４０がカバー部材１３０に貼り付けられていない領域である。本実施形態では、露出領域１３４は、複数の光源１２０の各々に対応して設けられる。より詳しくは、複数の光源１２０の各々の出射部１３１の少なくとも一部が露出するように設けられる。露出領域１３４は、円形であることが好ましい。光源１２０から出射する光は、円状に広がって出射されるためである。
【００２８】
図３および図４（ａ）〜図４（ｃ）を参照して、露出領域１３４の形成方法の一例について説明する。図４（ａ）〜図４（ｃ）は、露出領域１３４の形成方法の一例を示す断面図である。
【００２９】
まず、図４（ａ）に示すように、カバー部材１３０にフィルム１４０を貼り付ける。ここでは、カバー部材１３０には、凸部１３５が設けられている。凸部１３５は、環状である。本実施形態では、凸部１３５は円環状である。凸部１３５は、カバー領域１３３と露出領域１３４との境界Ｂ（図３参照）に設けられる。
【００３０】
次に、図４（ｂ）に示すように、凸部１３５の一部をカットする。その際、凸部１３５に貼り付けられていたフィルム１４０も同時にカットされる。
【００３１】
次に、図４（ｃ）に示すように、凸部１３５の内側に位置するフィルム１４０をはがす。凸部１３５の内側に露出領域１３４が形成される。したがって、出射部１３１の一部が、フィルム１４０から露出する。本実施形態では、出射部１３１の全部が、フィルム１４０から露出している。
【００３２】
なお、図４（ａ）〜図４（ｃ）を参照して説明したカバー部材１３０には凸部１３５が形成されていたが、凸部１３５の代わりに凹部１３６が形成されていてもよい。
【００３３】
図３および図５（ａ）および図５（ｂ）を参照して、露出領域１３４の形成方法の一例について説明する。図５（ａ）および図５（ｂ）は、露出領域１３４の形成方法の一例を示す断面図である。
【００３４】
まず、図５（ａ）に示すように、カバー部材１３０にフィルム１４０を貼り付ける。ここでは、カバー部材１３０には、凹部１３６が設けられている。凹部１３６は、環状である。本実施形態では、凹部１３６は円環状である。凹部１３６は、カバー領域１３３と露出領域１３４との境界Ｂ（図３参照）に設けられる。
【００３５】
次に、図５（ｂ）に示すように、フィルム１４０をカットする。詳しくは、例えば、凹部１３６に刃物の先を挿入し、凹部１３６に沿って刃物の先を移動させることによって、フィルム１４０をカットする。カバー部材１３０には、凹部１３６が形成されているため、容易にフィルム１４０をカットすることができる。フィルム１４０をカットした後に、凹部１３６の内側位置するフィルム１４０をはがす。その結果、凹部１３６の内側に露出領域１３４が形成される。したがって、出射部１３１の一部が、フィルム１４０から露出する。本実施形態では、出射部１３１の全部が、フィルム１４０から露出している。
【００３６】
以上、図３、図４（ａ）〜図４（ｃ）および図５（ａ）〜図５（ｂ）を参照して説明したように、出射部１３１の少なくとも一部は、フィルム１４０から露出している。したがって、光源１２０からの熱の影響を受ける可能性がある部分からフィルム１４０を取り除かれている。また、光源１２０からの光が出射される部分からフィルム１４０が取り除かれるため、出射部１３１から出射される光が減衰することを抑制することができる。
【００３７】
カバー領域１３３と露出領域１３４との境界Ｂに凹部１３６または凸部１３５の一方が設けられている。したがって、熱の影響を受ける可能性がある部分および光学性に影響する可能性がある部分のフィルム１４０を容易に取り除くことができる。
【００３８】
［実施形態３］
図６〜図８を参照して、発光装置１００を備える照明装置２００について説明する。図６は、本発明の実施形態３に係る照明装置２００の斜視図である。図７は、本発明の実施形態３に係る照明装置２００の底面図である。図８は、図７のＶＩＩＩ−ＶＩＩＩ線に沿った断面図である。
【００３９】
図６に示すように、照明装置２００は、取付部材２１０と、パイプ２２０と、フードカバー２３０と、フード２４０と、放熱板２５０と、中央カバー２６０と、複数の発光装置１００とを備える。放熱板２５０は、板状部材の一例である。本実施形態では、照明装置２００は、８個の発光装置１００を備える。照明装置２００は、例えば、工場のような天井が高い建物の天井に設置される照明である。照明装置２００は、高輝度の照明である。
【００４０】
取付部材２１０は、例えば、フランジである。取付部材２１０は、例えば、天井に取り付けられる。取付部材２１０が、天井に取り付けられることによって、照明装置２００は、天井に取り付けられる。取付部材２１０の内部には、端子台（図示せず）が収容される。
【００４１】
パイプ２２０は、取付部材２１０と、フードカバー２３０、フード２４０および放熱板２５０とを接続する部材である。パイプ２２０は、中空状の部材である。パイプ２２０の内部には、電源ケーブルが通る。
【００４２】
フードカバー２３０は、フード２４０の上方に位置する。フードカバー２３０は、フード２４０をカバーする部材である。
【００４３】
フード２４０は、放熱板２５０および発光装置１００を覆う部材である。
【００４４】
放熱板２５０は、発光装置１００で発生した熱を放熱する。
【００４５】
中央カバー２６０は、放熱板２５０の開口部２５２を覆う。開口部２５２については、図７を参照して後述する。
【００４６】
発光装置１００は、円周上に沿って等間隔に配置される。発光装置１００は、実施形態１および実施形態２と同様の構成を有するため説明を省略する。
【００４７】
図７に示すように、放熱板２５０は、開口部２５２を有する。複数の発光装置１００のそれぞれは、放熱板２５０に取付けられる。詳しくは、複数の発光装置１００のそれぞれは、固定部材２５４によって放熱板２５０に取り付けられる。固定部材２５４は、例えば、ビスである。
【００４８】
中央カバー２６０は、開口部２５２を覆うように、放熱板２５０に取り付けられる。
【００４９】
図８に示すように、発光装置１００のコネクタ１５０には電源ケーブル２７０が接続されている。電源ケーブル２７０は、パイプ２２０の内部を通り、取付部材２１０に収容されている端子台に接続されている。
【００５０】
図９を参照して、開口部２５２近傍について説明する。図９は、開口部２５２近傍の断面図である。
【００５１】
図９に示すように、基板１１０は、放熱板２５０に取り付けられている。照明装置２００は、穴埋め部材２８０をさらに備える。穴埋め部材２８０は、開口部２５２を塞ぐように設けられる。穴埋め部材２８０は、例えば、シリコーン樹脂によって形成される。フィルム１４０は、開口部２５２を覆う。詳しくは、フィルム１４０は、穴埋め部材２８０を介して開口部２５２を覆う。
【００５２】
続いて、フィルム１４０の貼り付け方法について説明する。まず、開口部２５２を通過するように、電源ケーブル２７０をコネクタ１５０に接続する。そして、開口部２５２を塞ぐように穴埋め部材２８０を配置する。そして、フィルム１４０が、カバー部材１３０と、穴埋め部材２８０と、コネクタ１５０の一部とを覆うように、フィルム１４０が、カバー部材１３０と、穴埋め部材２８０と、コネクタ１５０の一部にフィルム１４０は貼り付けられる。したがって、開口部２５２が塞がれた状態で、フィルム１４０は貼り付けられる。
【００５３】
以上、図６〜図９を参照して説明したように、フィルム１４０は、開口部２５２を覆う。したがって、開口部２５２に対して、防水および防湿を行うことができる。
【００５４】
以上、図面（図１〜図９）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５５】
例えば、図３〜図５を参照して説明した発光装置１００では、凹部１３６または凸部１３５は環状であったが、本発明はこれに限定されない。凹部１３６または凸部１３５は、分離していてもよい。
【符号の説明】
【００５６】
１００  発光装置
１１０  基板
１２０  光源
１３０  カバー部材
１３１  出射部
１３３  カバー領域
１３４  露出領域
１３５  凸部
１３６  凹部
１４０  フィルム
１５０  コネクタ
２５０  放熱板（板状部材）
２５２  開口部
２５４  固定部材
２６０  中央カバー
２７０  電源ケーブル
２８０  穴埋め部材
Ｂ      境界
【図１】
2020087753.tif 000003
【図２】
2020087753.tif 000004
【図３】
2020087753.tif 000005
【図４】
2020087753.tif 000006
【図５】
2020087753.tif 000007
【図６】
2020087753.tif 000008
【図７】
2020087753.tif 000009
【図８】
2020087753.tif 000010
【図９】
2020087753.tif 000011